(57)【要約】【課題】  従来とは異なる手法を用いて、公衆回線網に接続される回線側装置と、ＦＡＸデータの通信を、適切に実行し得る技術を提供する。【解決手段】  多機能機１０は、ＷＦＤ接続を利用した通信と、ＷＦＤ接続と異なる非ＷＦＤ接続を利用した通信と、を実行する。多機能機１０は、通話デバイス８０との無線通信のための専用の無線接続として、ＷＦＤ接続を利用して、通話デバイス８０とのＦＡＸデータの無線通信を実行する。多機能機１０は、非ＷＦＤ接続を利用して、通話デバイス８０とは異なるＰＣ８ａとの通信を実行する。【選択図】図４
2013183446.tif 000002
【特許請求の範囲】
【請求項１】
公衆回線網に接続されると共に前記公衆回線網を介したＦＡＸデータの通信を実行する回線側装置とは別体に構成されているＦＡＸ装置であって、
第１種の無線接続を利用した通信を実行する第１の通信部と、
前記第１種の無線接続とは異なる第２種の接続を利用した通信を実行する第２の通信部を備え、
前記第１の通信部は、前記回線側装置との無線通信のための専用の無線接続として、前記第１種の無線接続を利用して、前記回線側装置との前記ＦＡＸデータの第１の無線通信を実行し、前記第１種の無線接続を利用して、前記回線側装置以外のいずれの装置とも無線通信を実行せず、
前記第２の通信部は、前記第２種の接続を利用して、前記回線側装置とは異なる特定の装置との通信を実行する、ＦＡＸ装置。
【請求項２】
前記ＦＡＸ装置と前記回線側装置とは、前記ＦＡＸ装置と前記回線側装置とを含む無線ネットワークを識別する特定のネットワーク識別子を予め記憶しており、
前記ＦＡＸ装置は、さらに、
前記特定のネットワーク識別子を、前記回線側装置に提供する提供部を備え、
前記提供部は、外部装置からネットワーク識別子の送信要求を受信し、
前記送信要求に、前記特定のネットワーク識別子が含まれている場合に、前記特定のネットワーク識別子を、前記外部装置である前記回線側装置に提供し、
前記送信要求に、前記特定のネットワーク識別子が含まれていない場合に、前記特定のネットワーク識別子を、前記外部装置に提供しない、請求項１に記載のＦＡＸ装置。
【請求項３】
前記第２の通信部は、前記第２種の接続を利用して、前記ＦＡＸ装置とは別体のアクセスポイントを介して、前記特定の装置との第２の無線通信を実行し、
前記第２の通信部は、前記第１の通信部が前記第１の無線通信で利用する無線チャネルと同じ無線チャネルを利用して、前記第２の無線通信を実行する、請求項１又は２に記載のＦＡＸ装置。
【請求項４】
前記ＦＡＸ装置は、さらに、
前記第１の通信部が前記第１の無線通信で、第１の無線チャネルを利用しており、前記第２の通信部が、前記第２の無線通信で、前記第１の無線チャネルを利用している状況において、前記アクセスポイントが、前記アクセスポイント自身が利用する無線チャネルを、前記第１の無線チャネルから第２の無線チャネルに変更した場合に、
前記ＦＡＸ装置が前記回線側装置から前記ＦＡＸデータを受信すべき第１の状況では、前記ＦＡＸデータの受信が完了するまで、前記ＦＡＸ装置自身が利用する無線チャネルを、前記第１の無線チャネルから変更せず、
前記ＦＡＸ装置が前記回線側装置から前記ＦＡＸデータを受信すべきでない第２の状況では、前記ＦＡＸ装置自身が利用する無線チャネルを、前記第１の無線チャネルから前記第２の無線チャネルに変更する変更部を備える、請求項３に記載のＦＡＸ装置。
【請求項５】
前記ＦＡＸ装置は、さらに、
前記回線側装置から開始情報を取得する取得部であって、前記開始情報は、前記回線側装置が、前記公衆回線網から前記ＦＡＸデータの受信を開始する際に、前記ＦＡＸ装置に送信する情報である、前記取得部を備え、
前記変更部は、前記回線側装置から前記開始情報を取得し、前記ＦＡＸデータの受信が完了していない場合に、前記第１の状況であると判断する、請求項４に記載のＦＡＸ装置。
【請求項６】
前記第１の通信部は、前記ＦＡＸ装置に割り当てられている第１のＭＡＣアドレスと、前記ＦＡＸ装置に割り当てられている第１のＩＰアドレスと、を用いて、前記第１の無線接続を利用した通信を実行し、
前記第２の通信部は、前記ＦＡＸ装置に割り当てられている第２のＭＡＣアドレスであって、前記第１のＭＡＣアドレスとは異なる前記第２のＭＡＣアドレスと、前記ＦＡＸ装置に割り当てられている第２のＩＰアドレスであって、前記第１のＩＰアドレスとは異なる前記第２のＩＰアドレスと、を用いて、前記第２の接続を利用した通信を実行する、請求項１から５のいずれか一項に記載のＦＡＸ装置。
【請求項７】
前記第１の通信部は、第１の通信規格に従って、前記第１の無線接続を利用した前記第１の無線通信を実行し、
前記第２の通信部は、第２の通信規格であって、前記第１の通信規格とは異なる第２の通信規格に従って、前記第２の接続を利用した前記第２の通信を実行する、請求項１から６のいずれか一項に記載のＦＡＸ装置。
【請求項８】
公衆回線網に接続されると共に前記公衆回線網を介したＦＡＸデータの通信を実行する回線側装置とは別体に構成されているＦＡＸ装置のためのコンピュータプログラムであって、
前記ＦＡＸ装置に搭載されるコンピュータに、以下の処理、即ち、
第１種の無線接続を利用した通信を実行する第１の通信処理と、
前記第１種の無線接続とは異なる第２種の接続を利用した通信を実行する第２の通信処理と、を実行させ、
前記第１の通信処理では、前記回線側装置との無線通信のための専用の無線接続として、前記第１種の無線接続を利用して、前記回線側装置との前記ＦＡＸデータの第１の無線通信を実行し、前記第１種の無線接続を利用して、前記回線側装置以外のいずれの装置とも無線通信を実行せず、
前記第２の通信処理では、前記第２種の接続を利用して、前記回線側装置とは異なる特定の装置との通信を実行する、コンピュータプログラム。
【発明の詳細な説明】
【技術分野】
【０００１】
本明細書によって開示される技術は、ＦＡＸ装置に関する。
【背景技術】
【０００２】
特許文献１には、通話デバイスと多機能機とがアクセスポイントを介して接続される無線通信システムが開示されている。通話デバイスは、ＰＳＴＮ（Public Switched Telephone Network）に接続されている。通話デバイスは、ＰＳＴＮを介して受信したＦＡＸデータを、アクセスポイントを介して、多機能機に送信する。
【先行技術文献】
【特許文献】
【０００３】
【特許文献１】特開２０１１−２０５５８１号公報
【発明の概要】
【発明が解決しようとする課題】
【０００４】
本明細書では、従来とは異なる手法を用いて、公衆回線網に接続される回線側装置と、ＦＡＸデータの通信を、適切に実行し得る技術を提供する。
【課題を解決するための手段】
【０００５】
本明細書によって開示される技術は、回線側装置とは別体に構成されているＦＡＸ装置である。回線側装置は、公衆回線網に接続されると共に公衆回線網を介したＦＡＸデータの通信を実行する。ＦＡＸ装置は、第１の通信部と第２の通信部とを備える。第１の通信部は、第１種の無線接続を利用した通信を実行する。第２の通信部は、第１種の無線接続と異なる第２種の接続を利用した通信を実行する。第１の通信部は、回線側装置との無線通信のための専用の無線接続として、第１種の無線接続を利用して、回線側装置とのＦＡＸデータの第１の無線通信を実行する。第１の通信部は、第１種の無線接続を利用して、回線側装置以外のいずれの装置とも無線通信を実行しない。第２の通信部は、第２種の接続を利用して、回線側装置とは異なる特定の装置との通信を実行する。
【０００６】
この構成によれば、ＦＡＸ装置は、回線側装置との無線通信のための専用の無線接続として、第１種の無線接続を利用する。この結果、回線側装置と無線通信可能であると共に、回線側装置以外の装置と無線通信可能である汎用の無線接続を採用している構成と比較して、ＦＡＸ装置は、回線側装置との間で、適切にＦＡＸデータの通信を実行し得る。
【０００７】
ＦＡＸ装置と回線側装置とは、ＦＡＸ装置と回線側装置とを含む無線ネットワークを識別する特定のネットワーク識別子を予め記憶していてもよい。ＦＡＸ装置は、さらに、特定のネットワーク識別子を、回線側装置に提供する提供部を備えていてもよい。提供部は、外部装置からネットワーク識別子の送信要求を受信してもよい。提供部は、送信要求に、特定のネットワーク識別子が含まれている場合に、特定のネットワーク識別子を、外部装置である回線側装置に提供してもよい。提供部は、送信要求に、特定のネットワーク識別子が含まれていない場合に、特定のネットワーク識別子を、外部装置に提供しなくてもよい。この構成によれば、ＦＡＸ装置は、回線側装置以外の装置に、特定のネットワーク識別子を提供することを抑制することができ、ＦＡＸ装置と回線側装置とを含む無線ネットワークに、回線側装置以外の装置が参加することを抑制することができる。
【０００８】
第２の通信部は、第２種の接続を利用して、ＦＡＸ装置とは別体のアクセスポイントを介して、特定の装置との第２の無線通信を実行してもよい。第２の通信部は、第１の通信部が第１の無線通信で利用する無線チャネルと同じ無線チャネルを利用して、第２の無線通信を実行してもよい。この構成によれば、ＦＡＸ装置は、同じ無線チャネルを利用して、第１の無線通信と第２の無線通信とを適切に実行することができる。
【０００９】
ＦＡＸ装置は、変更部をさらに備えていてもよい。第１の通信部が第１の無線通信で、第１の無線チャネルを利用しており、第２の通信部が、第２の無線通信で、第１の無線チャネルを利用している状況において、アクセスポイントが、アクセスポイント自身が利用する無線チャネルを、第１の無線チャネルから第２の無線チャネルに変更した場合に、変更部は、ＦＡＸ装置が回線側装置からＦＡＸデータを受信すべき第１の状況では、ＦＡＸデータの受信が完了するまで、ＦＡＸ装置自身が利用する無線チャネルを、第１の無線チャネルから変更しなくてもよい。変更部は、ＦＡＸ装置が回線側装置からＦＡＸデータを受信すべきでない第２の状況では、ＦＡＸ装置自身が利用する無線チャネルを、第１の無線チャネルから第２の無線チャネルに変更してもよい。この構成によれば、ＦＡＸ装置が回線側装置からＦＡＸデータを受信すべき状況において、回線側装置からＦＡＸデータの受信が完了するまで、無線チャネルが変更されない。この結果、ＦＡＸ装置は、回線側装置からＦＡＸデータを適切に受信することができる。
【００１０】
ＦＡＸ装置は、取得部をさらに備えていてもよい。取得部は、回線側装置から開始情報を取得してもよい。開始情報は、回線側装置が、公衆回線網からＦＡＸデータの受信を開始する際に、ＦＡＸ装置に送信する情報であってもよい。変更部は、回線側装置から開始情報を取得し、ＦＡＸデータの受信が完了していない場合に、第１の状況であると判断してもよい。この構成によれば、ＦＡＸ装置は、第１の状況であることを適切に判断することができる。
【００１１】
第１の通信部は、ＦＡＸ装置に割り当てられている第１のＭＡＣアドレスと、ＦＡＸ装置に割り当てられている第１のＩＰアドレスと、を用いて、第１の無線接続を利用した通信を実行してもよい。第２の通信部は、ＦＡＸ装置に割り当てられている第２のＭＡＣアドレスであって、第１のＭＡＣアドレスとは異なる第２のＭＡＣアドレスと、ＦＡＸ装置に割り当てられている第２のＩＰアドレスであって、第１のＩＰアドレスとは異なる第２のＩＰアドレスと、を用いて、第２の接続を利用した通信を実行してもよい。
【００１２】
第１の通信部は、第１の通信規格に従って、第１の無線接続を利用した第１の無線通信を実行してもよい。第２の通信部は、第２の通信規格であって、第１の通信規格とは異なる第２の通信規格に従って、第２の接続を利用した第２の通信を実行してもよい。
【００１３】
なお、上記のＦＡＸ装置を実現するための制御方法、コンピュータプログラム、及び、当該コンピュータプログラムを格納するコンピュータ読取可能記録媒体も、新規で有用である。また、上記のＦＡＸ装置と回線側装置とを含むシステムも、新規で有用である。
【図面の簡単な説明】
【００１４】
【図１】ネットワークシステムの構成を示す。
【図２】多機能機が実行する通信処理のフローチャートを示す。
【図３】多機能機が実行するチャネル確認処理のフローチャートを示す。
【図４】ネットワークシステムの各デバイスの処理を示すシーケンス図を示す。
【図５】ネットワークシステムの各デバイスの処理を示すシーケンス図を示す。
【発明を実施するための形態】
【００１５】
（ネットワークシステムの構成）
図１に示されるように、ネットワークシステム２は、ＦＡＸ通信システム１と、ＡＰ（アクセスポイント）６と、複数個のＰＣ８ａ〜８ｃと、を備える。複数個のＰＣ８ａ〜８ｃは、それぞれＡＰ６と無線接続されている。ＦＡＸ通信システム１は、多機能機１０と通話デバイス８０とを備える。多機能機１０は、後で詳述するＷｉ−Ｆｉ  Ｄｉｒｅｃｔに従った無線通信機能を実行することによって、通話デバイス８０と通信可能である。なお、以下では、Ｗｉ−Ｆｉ  Ｄｉｒｅｃｔのことを「ＷＦＤ」と呼び、ＷＦＤに従った接続のことを「ＷＦＤ接続」と呼ぶ。
【００１６】
多機能機１０は、さらに、通常の無線通信機能（例えば、ＩＥＥＥ８０２．１１に従った無線通信）を実行することによって、ＡＰ６と接続（以下では「非ＷＦＤ接続」と呼ぶ）可能である。多機能機１０は、ＡＰ６を介して、ＰＣ８ａ〜８ｃ（即ち、多機能機１０の周辺機器）と通信可能である。なお、上記から明らかなように、ＷＦＤ接続と非ＷＦＤ接続とは、異なる種類の通信規格に従った無線接続である。
【００１７】
（多機能機１０の構成）
多機能機（「親機」と呼んでもよい）１０は、操作部１２と、表示部１４と、無線インターフェイス１６と、印刷実行部１８と、スキャン実行部２０と、制御部３０と、を備える。ユーザは、操作部１２を操作することによって、様々な指示を多機能機１０に入力することができる。表示部１４は、様々な情報を表示するためのディスプレイである。印刷実行部１８は、インクジェット方式、レーザ方式等の印刷機構を備え、制御部３０からの指示に従って印刷を実行する。スキャン実行部２０は、ＣＣＤ、ＣＩＳ等のスキャン機構を備え、制御部３０からの指示に従ってスキャンを実行する。
【００１８】
無線インターフェイス１６は、制御部３０が無線通信を実行する際に利用されるインターフェイスである。無線インターフェイス１６は、物理的には１個のインターフェイスである。但し、無線インターフェイス１６には、ＷＦＤ接続で利用されるＭＡＣアドレスと、非ＷＦＤ接続で利用されるＭＡＣアドレスと、の両方が割り当てられている。より詳細には、無線インターフェイス１６には、非ＷＦＤ接続で利用される１個のＭＡＣアドレスが、予め割り当てられている。制御部３０によって、予め割り当てられているＭＡＣアドレスを用いて生成された１個のＭＡＣアドレスが、ＷＦＤ接続で利用されるＭＡＣアドレスとして、無線インターフェイス１６に割り当てられる。ＷＦＤ接続で利用されるＭＡＣアドレスは、非ＷＦＤ接続で利用されるＭＡＣアドレスと異なる。従って、制御部３０は、無線インターフェイス１６を利用して、ＷＦＤに従った無線通信機能と通常の無線通信機能との両方を同時的に実行し得る。この結果、制御部３０は、ＷＦＤ接続と非ＷＦＤ接続との両方が確立されている状態を形成し得る。
【００１９】
制御部３０は、ＣＰＵ３２と、メモリ４０と、を備える。ＣＰＵ３２は、メモリ４０に格納されているプログラム４２に従って、様々な処理を実行する。ＣＰＵ３２がプログラム４２に従って処理を実行することによって、各部６０〜６６の機能が実現される。
【００２０】
メモリ４０は、ＷＦＤ設定領域４６と非ＷＦＤ設定領域４８とを備える。ＷＦＤ設定領域４６は、多機能機１０のベンダによって予め決められたＷＦＤ接続のための無線設定情報（暗号化方式、認証方式、パスワード等）（以下では「ＷＦＤ設定情報」と呼ぶ）を格納するための記憶領域である。ＷＦＤ設定情報は、ＳＳＩＤ（本実施例では「ＸＹＺ」）とシリアル番号（本実施例では「１２３」）とを含む。なお、シリアル番号（本実施例では「１２３」）は、通話デバイス８０のシリアル番号である。ＳＳＩＤ「ＸＹＺ」は、ＦＡＸ通信システム１内の無線ネットワーク（即ち多機能機１０と通話デバイス８０とを含む無線ネットワーク）を識別する識別情報である。ＷＦＤ設定情報は、多機能機１０の出荷段階において、多機能機１０に予め格納されている。ＷＦＤ設定領域４６は、さらに、多機能機１０に割り当てられている第１のＩＰアドレスを格納する。第１の通信部６０は、ＷＦＤ設定領域４６に格納されている第１のＩＰアドレスを利用して、ＷＦＤ接続を利用した無線通信を実行する。
【００２１】
非ＷＦＤ設定領域４８は、非ＷＦＤ接続のための無線設定情報（暗号化方式、認証方式、パスワード等）（以下では「非ＷＦＤ設定情報」と呼ぶ）を格納するための記憶領域である。非ＷＦＤ設定情報は、ＦＡＸ通信システム１の外側の装置（例えばＡＰ６）と非ＷＦＤ接続するための設定情報である。非ＷＦＤ設定情報は、多機能機１０の出荷後に、ユーザが指定する情報を含む。例えば、ユーザは、ＡＰ６を介して、多機能機１０と外部装置（例えばＰＣ８ａ〜８ｃ）とを接続することを望む場合に、多機能機１０の操作部１２を操作して、多機能機１０が利用すべき非ＷＦＤ設定情報（認証方式、暗号化方式、パスワード等）を指定することができる。非ＷＦＤ設定領域４８は、ユーザによって指定された非ＷＦＤ設定情報を格納する。従って、ＷＦＤ設定情報と、非ＷＦＤ設定情報とは異なる無線設定情報である。非ＷＦＤ設定情報は、非ＷＦＤ接続によって接続される無線ネットワークのＳＳＩＤ（例えば「ＡＢＣ」）を含む。非ＷＦＤ設定領域４８は、さらに、多機能機１０に割り当てられている第２のＩＰアドレスを格納する。第２の通信部６１は、非ＷＦＤ設定領域４８に格納されている第２のＩＰアドレスを利用して、非ＷＦＤ接続を利用した無線通信を実行する。なお、第２のＩＰアドレスは、図示省略のＤＨＣＰサーバから割り当てられるＩＰアドレスであってもよい。あるいは、第２のＩＰアドレスは、ＡＰ６がＤＨＣＰサーバ機能を備えている場合には、ＡＰ６から割り当てられるＩＰアドレスであってもよいし、多機能機１０のユーザに指定されるＩＰアドレスであってもよい。
【００２２】
メモリ４０は、開始情報記憶領域５０とチャネル領域５２とを、さらに備える。開始情報記憶領域５０は、通話デバイス８０から受信された開始情報５０ａを格納することができる。チャネル領域５２は、制御部３０がＷＦＤ接続又は非ＷＦＤ接続を利用して無線通信を実行する際に利用される無線チャネルを格納することができる。なお、制御部３０は、１個の無線インターフェイス１６を利用して、ＷＦＤ接続を利用した無線通信と非ＷＦＤ接続を利用した無線通信とを実行する。従って、ＷＦＤ接続を利用した無線通信を実行する場合と、非ＷＦＤ接続を利用した無線通信を実行する場合とで、制御部３０は、チャネル領域５２に格納される１個の共通した無線チャネル（例えば「ｃｈ１」）を利用しなければならない。なお、無線通信を実行する際には、無線チャネル１〜１４ｃｈのうちの１つが利用される。チャネル領域５２は、変更不可フラグをさらに格納する。制御部３０は、変更不可フラグが「１」の場合、チャネル領域５２に格納されている無線チャネルを変更することができず、変更不可フラグが「０」の場合、チャネル領域５２に格納されている無線チャネルを変更することができる。
【００２３】
（通話デバイス８０の構成）
通話デバイス（「子機」と呼んでもよい）８０は、マイク８６と、スピーカ８８と、ＰＳＴＮインターフェイス８４と、無線インターフェイス８２と、制御部９０と、を備える。ユーザは、通話デバイス８０のマイク８６とスピーカ８８を用いて、ＰＳＴＮ４を介した電話通信を実行することができる。ＰＳＴＮインターフェイス８４は、ＰＳＴＮ４に接続される。具体的には、ＰＳＴＮインターフェイス８４には、ＰＳＴＮケーブルの一端が接続される。ＰＳＴＮケーブルの他端は、例えば、家庭内のＰＳＴＮ用ソケットに接続される。無線インターフェイス８４は、制御部９０が無線通信を実行する際に利用されるインターフェイスである。無線インターフェイス８４には、ＷＦＤ接続で利用されるべきＭＡＣアドレスが割り当てられている。
【００２４】
制御部９０は、ＣＰＵ９２と、メモリ９４と、を備える。ＣＰＵ９２は、メモリ９４に格納されているプログラム９６に従って、様々な処理を実行する。ＣＰＵ９２は、プログラム９６に従って処理を実行することによって、通話デバイス８０の様々な機能（通話機能、ＦＡＸデータ通信機能等）が実現される。
【００２５】
メモリ９４は、チャネル領域９８とＷＦＤ設定領域９９とを、さらに備える。ＷＦＤ設定領域９９は、多機能機１０のＷＦＤ設定領域４６に格納されているＷＦＤ設定情報と同じ無線設定情報（即ちＷＦＤ設定情報）（ＳＳＩＤ「ＸＹＺ」、シリアル番号「１２３」等）を格納するための記憶領域である。ＷＦＤ設定情報は、通話デバイス８０の出荷段階（即ち多機能機１０の出荷段階）において、ＷＦＤ設定領域９９に予め格納されている。なお、メモリ９４には、多機能機１０の第１のＩＰアドレス（ＷＦＤ接続に用いられるＩＰアドレス）が記憶されている。
【００２６】
制御部９０は、ＷＦＤ設定領域９９に格納されているＷＦＤ設定情報を用いて、多機能機１０とＷＦＤ接続を利用した無線通信を実行するが、ＷＦＤ設定情報以外の設定情報を用いて、外部装置（例えばＡＰ６）と、無線接続を利用した無線通信を実行しない。チャネル領域９８は、通話デバイス８０がＷＦＤ接続を利用して無線通信を実行する際に利用する無線チャネル（例えば「ｃｈ１」）を格納することができる。
【００２７】
多機能機１０は、通話デバイス８０と協働して処理を実行することによって、多機能機１０が実現可能な複数個の機能（例えばＦＡＸ機能、印刷機能）のうちの特定の機能（例えばＦＡＸ機能）が実現される。従って、通話デバイス８０は、通常、それ単体では出荷されず、多機能機１０と共に出荷される。即ち、通話デバイス８０は、多機能機１０の付属装置である。
【００２８】
（ＦＡＸ機能）
例えば、通話デバイス８０は、ＰＳＴＮ４を介してＦＡＸデータを受信する場合に、ＷＦＤ接続を利用した無線通信を実行することによって、当該ＦＡＸデータを多機能機１０に送信する。多機能機１０は、通話デバイス８０からＦＡＸデータを受信すると、当該ＦＡＸデータによって表わされる画像の印刷を印刷実行部１８に実行させる。これにより、ＦＡＸの受信動作が実行される。
【００２９】
また、多機能機１０は、スキャン実行部２０が原稿をスキャンすることによって生成されるＦＡＸデータを、ＷＦＤ接続を利用した無線通信を実行することによって、通話デバイス８０に無線で送信する。通話デバイス８０は、多機能機１０から送信されるＦＡＸデータを受信すると、ユーザによって予め指定された宛先に向けて、ＰＳＴＮ４を介して当該ＦＡＸデータを送信する。これにより、ＦＡＸの送信動作が実行される。
【００３０】
なお、多機能機１０は、ＰＳＴＮ４を介して受信したＦＡＸデータによって表わされる画像を印刷するための印刷実行部１８を備えているが、通話デバイス８０は、印刷実行部１８を備えていない。また、多機能機１０は、原稿をスキャンして、ＰＳＴＮ４を介して送信されるべきＦＡＸデータを生成するためのスキャン実行部２０を備えているが、通話デバイス８０は、スキャン実行部２０を備えていない。即ち、通話デバイス８０は、多機能機１０に代わってＰＳＴＮ４を介してＦＡＸデータを受信可能であると共に、多機能機１０に代わってＰＳＴＮ４を介してＦＡＸデータを送信可能である。
【００３１】
上述したように、通話デバイス８０は、印刷実行部１８及びスキャン実行部２０を備えていない。従って、通話デバイス８０の寸法は、多機能機１０と比べると、小さい。通常、家庭内では、ＰＳＴＮ用ソケットの位置が決められている。仮に、多機能機１０にＰＳＴＮケーブルを接続しなければならない構成を採用すると、ＰＳＴＮ用ソケットの近傍に多機能機１０を配置する必要がある。多機能機１０の寸法は、比較的に大きいために、ＰＳＴＮ用ソケットの近傍にスペースが少ない環境では、ＰＳＴＮ用ソケットの近傍に多機能機１０を配置するのが困難である。これに対し、本実施例では、比較的に小さい寸法の通話デバイス８０にＰＳＴＮインターフェイス８４が設けられている。従って、ＰＳＴＮ用ソケットの近傍にスペースが少ない環境でも、ＰＳＴＮ用ソケットの近傍に通話デバイス８０を容易に配置して、通話デバイス８０をＰＳＴＮ４に接続することができる。さらに、多機能機１０をＰＳＴＮ用ソケットの近傍に限らずに配置することができる。
【００３２】
（ＷＦＤ）
ＷＦＤは、Ｗｉ−Ｆｉ  Ａｌｌｉａｎｃｅによって策定された規格である。ＷＦＤは、Ｗｉ−Ｆｉ  Ａｌｌｉａｎｃｅによって作成された「Ｗｉ−Ｆｉ  Ｐｅｅｒ−ｔｏ−Ｐｅｅｒ（Ｐ２Ｐ）  Ｔｅｃｈｎｉｃａｌ  Ｓｐｅｃｉｆｉｃａｔｉｏｎ  Ｖｅｒｓｉｏｎ１．１」に記述されている。
【００３３】
上述したように、多機能機１０は、ＷＦＤに従った無線通信機能を実行することによって、通話デバイス８０と通信可能である。以下では、ＷＦＤに従った無線通信機能を実行可能な機器のことを「ＷＦＤ対応機器」と呼ぶ。ＷＦＤの規格では、ＷＦＤ対応機器の状態として、Ｇｒｏｕｐ  Ｏｗｎｅｒ状態（以下では「Ｇ／Ｏ状態」と呼ぶ）、クライアント状態、及び、デバイス状態の３つの状態が定義されている。ＷＦＤ対応機器は、上記の３つの状態のうちの１つの状態で選択的に動作可能である。
【００３４】
Ｇ／Ｏ状態の機器とクライアント状態の機器とによって、１個のＷＦＤネットワークが構成される。１個のＷＦＤネットワークでは、Ｇ／Ｏ状態の機器が１個しか存在し得ないが、クライアント状態の機器が１個以上存在し得る。Ｇ／Ｏ状態の機器は、１個以上のクライアント状態の機器を管理する。具体的に言うと、Ｇ／Ｏ状態の機器は、１個以上のクライアント状態の機器のそれぞれの識別情報（即ちＭＡＣアドレス）が記述された管理リストを生成する。Ｇ／Ｏ状態の機器は、クライアント状態の機器がＷＦＤネットワークに新たに参加すると、当該機器の識別情報を管理リストに追加し、クライアント状態の機器がＷＦＤネットワークから離脱すると、当該機器の識別情報を管理リストから削除する。
【００３５】
Ｇ／Ｏ状態の機器は、管理リストに登録されている機器、即ち、クライアント状態の機器との間で、通信対象の対象データ（例えば、ＯＳＩ参照モデルのネットワーク層の情報を含むデータ（印刷データ等））の無線通信を実行可能である。しかしながら、Ｇ／Ｏ状態の機器は、管理リストに登録されていない機器との間で、ＷＦＤネットワークに参加するためのデータ（例えば、ネットワーク層の情報を含まないデータ（Ｐｒｏｂｅ  Ｒｅｑｕｅｓｔ信号、Ｐｒｏｂｅ  Ｒｅｓｐｏｎｓｅ信号等の物理層のデータ）の無線通信を実行可能であるが、上記の対象データの無線通信を実行不可能である。例えば、Ｇ／Ｏ状態の多機能機１０は、管理リストに登録されている通話デバイス８０（即ち、クライアント状態の通話デバイス８０）からＦＡＸデータを無線で受信可能であるが、管理リストに登録されていない機器から印刷データを無線で受信不可能である。
【００３６】
なお、ＷＦＤネットワークに参加していないＷＦＤ対応機器（即ち、管理リストに登録されていない機器）が、デバイス状態の機器である。デバイス状態の機器は、ＷＦＤネットワークに参加するためのデータ（Ｐｒｏｂｅ  Ｒｅｑｕｅｓｔ信号、Ｐｒｏｂｅ  Ｒｅｓｐｏｎｓｅ信号等の物理層のデータ等）の無線通信を実行可能であるが、ＷＦＤネットワークを介して対象データ（印刷データ等）の無線通信を実行不可能である。
【００３７】
通常のＷＦＤでは、複数個のＷＦＤ対応機器のうちの１個のＷＦＤ対応機器が、Ｇ／Ｏネゴシエーションによって、選択的にＧ／Ｏ状態の機器として決定される。即ち、複数個のＷＦＤ対応機器のうちのいずれのＷＦＤ対応機器も、Ｇ／Ｏ状態の機器になり得る。しかしながら、本実施例では、多機能機１０は、自律Ｇ／Ｏモードで動作する。自律Ｇ／Ｏモードは、Ｇ／Ｏ状態で動作することを多機能機１０に維持させるモードである。従って、本実施例では、多機能機１０と通話デバイス８０との間でＧ／Ｏネゴシエーションが実行されず、多機能機１０は、Ｇ／Ｏ状態で維持される。即ち、通話デバイス８０は、多機能機１０とＷＦＤ接続が確立されるべき際に、クライアント状態に必ず決定される。
【００３８】
なお、ＷＦＤ設定領域４８に格納されている第１のＩＰアドレスは、Ｇ／Ｏ状態の機器によって生成される。本実施例では、Ｇ／Ｏ状態に維持される多機能機１０が、第１のＩＰアドレスを生成する。
【００３９】
（多機能機１０が実行する処理）
第２の通信部６１は、ＡＰ６と非ＷＦＤ接続を確立する。具体的には、第２の通信部６１は、多機能機１０の周囲に存在する各ＡＰを検索するためのＳｃａｎ処理を実行する。即ち、第２の通信部６１は、Ｐｒｏｂｅ  Ｒｅｑｕｅｓｔを送信する。この結果、第２の通信部６１は、ＡＰ６のＳＳＩＤ「ＡＢＣ」と、ＡＰ６が利用している無線チャネルと、を含むＰｒｏｂｅ  Ｒｅｓｐｏｎｓｅを、ＡＰ６から受信する。制御部３０は、受信されたＳＳＩＤ「ＡＢＣ」を、表示部１４に表示させ、ユーザに選択させる。制御部３０は、Ｐｒｏｂｅ  Ｒｅｓｐｏｎｓｅに含まれる無線チャネルを、チャネル領域５２に格納する。制御部３０は、選択されたＳＳＩＤ「ＡＢＣ」を、非ＷＦＤ設定領域４８に格納する。続いて、ユーザは、ＡＰ６と無線接続を実行するために必要な非ＷＦＤ設定情報（暗号化方式、認証方式、パスワード等）を入力する。制御部３０は、ユーザによって入力された非ＷＦＤ設定情報を、非ＷＦＤ設定領域４８に格納する。第２の通信部６１は、非ＷＦＤ設定領域４８に格納されている非ＷＦＤ設定情報を用いて、ＡＰ６と非ＷＦＤ接続を確立する。具体的には、第２の通信部６１は、非ＷＦＤ設定情報をＡＰ６に送信する。ＡＰ６は、非ＷＦＤ設定情報の認証を実行する。この認証が成功すれば、多機能機１０とＡＰ６との間に非ＷＦＤ接続が確立される。
【００４０】
（多機能機１０が実行する通信処理）
続いて、図２を参照して、多機能機１０が実行する通信処理を説明する。制御部３０は、多機能機１０が電源ＯＮにされると、通信処理を開始する。なお、制御部３０は、非ＷＦＤ設定領域４８に、非ＷＦＤ設定情報が格納されている場合に、通信処理と並行して、非ＷＦＤ接続を確立する処理（即ちＡＰ６と無線接続を確立する処理）を実行する。
【００４１】
Ｓ２では、第１の通信部６０は、ＷＦＤ接続に利用する無線チャネル（例えばｃｈ１）を、チャネル領域５２から読み込む。なお、Ｓ２では、チャネル領域５２には、ＡＰ６と非ＷＦＤ接続を確立する処理を実行する際に、ＡＰ６から取得された無線チャネルが格納されている。次いで、Ｓ３では、提供部６２は、外部装置（例えば通話デバイス８０）から、ＳＳＩＤを取得するためのＰｒｏｂｅ  Ｒｅｑｕｅｓｔを受信することを監視する。Ｐｒｏｂｅ  Ｒｅｑｕｅｓｔが受信される場合（Ｓ３でＹＥＳ）にＳ４に進み、受信されない場合（Ｓ３でＮＯ）にＳ１４に進む。例えば、通話デバイス８０は、電源ＯＮにされると、Ｐｒｏｂｅ  Ｒｅｑｕｅｓｔを送信する。通話デバイス８０から送信されるＰｒｏｂｅ  Ｒｅｑｕｅｓｔは、ＷＦＤ設定領域９８に格納されているＳＳＩＤ「ＸＹＺ」を含む。
【００４２】
Ｓ４では、提供部６２は、Ｐｒｏｂｅ  Ｒｅｑｕｅｓｔに含まれるＳＳＩＤが、ＷＦＤ設定領域４６に格納されているＳＳＩＤ「ＸＹＺ」と同じＳＳＩＤであるのか否かを判断する。Ｐｒｏｂｅ  Ｒｅｑｕｅｓｔに含まれるＳＳＩＤが、ＷＦＤ設定領域４６に格納されているＳＳＩＤ「ＸＹＺ」と同じＳＳＩＤである場合（Ｓ４でＹＥＳ）、Ｓ５に進む。Ｐｒｏｂｅ  Ｒｅｑｕｅｓｔに含まれるＳＳＩＤが、ＷＦＤ設定領域４６に格納されているＳＳＩＤ「ＸＹＺ」と異なる場合又はＳＳＩＤが含まれていない場合（Ｓ４でＮＯ）、Ｓ１４に進む。
【００４３】
Ｓ５では、提供部６２は、ＷＦＤ設定領域４６に格納されているＳＳＩＤ「ＸＹＺ」とチャネル領域５２に格納されている利用チャネル（例えばｃｈ１）とを、Ｐｒｏｂｅ  Ｒｅｑｕｅｓｔの送信元のデバイス（即ち通話デバイス８０）に送信する（Ｐｒｏｂｅ  Ｒｅｓｐｏｎｓｅ）。この構成では、提供部６２は、Ｐｒｏｂｅ  Ｒｅｑｕｅｓｔが通話デバイス８０から送信されたＰｒｏｂｅ  Ｒｅｑｕｅｓｔである場合、Ｐｒｏｂｅ  Ｒｅｑｕｅｓｔに対してＰｒｏｂｅ  Ｒｅｓｐｏｎｓｅを送信する。その一方で、提供部６２は、Ｐｒｏｂｅ  ＲｅｑｕｅｓｔにＷＦＤ設定領域４６に格納されているＳＳＩＤが含まれていない場合、即ち、Ｐｒｏｂｅ  Ｒｅｑｕｅｓｔが通話デバイス８０から送信されたＰｒｏｂｅ  Ｒｅｑｕｅｓｔでない場合、ＳＳＩＤを送信しない。ＷＦＤ設定領域４６に格納されているＳＳＩＤ「ＸＹＺ」を知らない装置（例えばＰＣ８ａ）は、ＦＡＸ通信システム１内の無線ネットワークのＳＳＩＤ「ＸＹＺ」を取得することができない。即ち、多機能機１０は、いわゆるステルスモードで動作している。
【００４４】
次いで、Ｓ６では、第１の通信部６０は、Ｐｒｏｂｅ  Ｒｅｑｕｅｓｔの送信元の通話デバイス８０と、ＷＦＤ接続を確立する。具体的には、第１の通信部６０は、ＷＦＤ設定領域４６に格納されているＷＦＤ設定情報に含まれる認証方式、暗号化方式、パスワード等を用いて、特定の無線通信（Ａｕｔｈｅｎｔｉｃａｔｉｏｎ  Ｒｅｑｕｅｓｔ、Ａｕｔｈｅｎｔｉｃａｔｉｏｎ  Ｒｅｓｐｏｎｓｅ、Ａｓｓｏｃｉａｔｉｏｎ  Ｒｅｑｕｅｓｔ、Ａｓｓｏｃｉａｔｉｏｎ  Ｒｅｓｐｏｎｓｅ等）を、通話デバイス８０と実行する。なお、特定の無線通信では、チャネル領域５２内の無線チャネルが利用される。特定の無線通信において、様々な認証処理（ＳＳＩＤの認証、認証方式及び暗号化方式の認証、パスワードの認証等）が実行される。全ての認証が成功した場合に、多機能機１０及び通話デバイス８０の間にＷＦＤ接続が確立される。
【００４５】
次いで、Ｓ８では、第１の通信部６０は、ＷＦＤ接続されている通話デバイス８０から、シリアル番号を受信することを監視する。通話デバイス８０からシリアル番号を受信しない場合（Ｓ８でＮＯ）、Ｓ１４に進む。通話デバイス８０から、シリアル番号が受信される（Ｓ８でＹＥＳ）と、Ｓ１０において、第１の通信部６０は、Ｓ８で受信されたシリアル番号と、ＷＦＤ設定領域に格納されているシリアル番号（即ち「１２３」）とが同じシリアル番号であるのか否かの通話デバイス認証処理を実行する。第１の通信部６０は、Ｓ８で受信されたシリアル番号と、ＷＦＤ設定領域に格納されているシリアル番号（即ち「１２３」）とが、同じシリアル番号である場合に認証成功と判断し（Ｓ１０でＹＥＳ）、同じシリアル番号でない場合に認証失敗と判断する（Ｓ１０でＮＯ）。
【００４６】
Ｓ１０でＹＥＳの場合、制御部３０は、表示部１４に通信デバイス認証処理が成功したことを示す情報（例えば「認証成功」の文字列）を表示させる。一方、Ｓ１０でＮＯの場合、制御部３０は、表示部１４に通信デバイス認証処理が失敗したことを示す情報（例えば「認証失敗」の文字列）を表示させて、Ｓ３に戻る。この場合、第１の通信部６０は、Ｓ６で確立されたＷＦＤ接続を切断する。多機能機１０と通話デバイス８０とには、同じシリアル番号「１２３」が格納されている。従って、通常、通話デバイス認証処理は成功する。
【００４７】
例えば、通話デバイス８０以外の特定の装置にＷＦＤ設定情報が格納されていたとしても、シリアル番号は格納されていない。従って、上記の特定の装置は、ＷＦＤ接続を利用して、シリアル番号を多機能機１０に送信しない。この場合、Ｓ８でＮＯと判断される。第１の通信部６０は、Ｓ６においてＷＦＤ接続を確立した直後に実行されるＳ８の処理において、所定の時間（例えば１０秒間）が経過してもシリアル番号を受信しない場合、Ｓ６で確立されたＷＦＤ接続を切断する。このため、上記の特定の装置は、ＷＦＤ接続を利用した無線通信を実行しない。仮に、上記の特定の装置は、シリアル番号「１２３」以外のシリアル番号を格納している場合、格納されているシリアル番号を、ＷＦＤ接続を利用して多機能機１０に送信する可能性がある。この場合、Ｓ１０でＮＯと判断され、ＷＦＤ接続は切断される。従って、上記の特定の装置は、通話デバイス認証処理ための通信以外の無線通信を、ＷＦＤ接続を利用して実行することができない。言い換えると、多機能機１０の第１の通信部６０は、ＷＦＤ接続を利用して、通話デバイス８０以外のいずれの装置とも、装置の認証処理のための無線通信以外の無線通信を実行しない。なお、ユーザは、表示部１４の表示を確認することによって、ＦＡＸ通信システム１を利用して、ＦＡＸ通信を実行可能な状態になったのか否かを確認することができる。
【００４８】
この構成によれば、第１の通信部６０は、ＷＦＤ接続を利用して、通話デバイス８０のみと無線通信を実行可能である。即ち、ＷＦＤ接続は、多機能機１０が通話デバイス８０との無線通信のための専用の無線接続であると言うことができる。
【００４９】
Ｓ１２が終了すると、Ｓ１４に進む。Ｓ１４では、取得部６６は、開始情報記憶領域５０に、開始情報が格納されているのか否かを判断する。通話デバイス８０は、ＰＳＴＮ４を介して、外部のＦＡＸ装置（図示省略）からのＦＡＸデータの受信が開始されると、多機能機１０に、開始情報を送信する。通話デバイス８０は、受信されるＦＡＸデータのデータＩＤを生成し、生成されたデータＩＤを含む開始情報を送信する。取得部６６は、受信された開始情報（例えば開始情報５０ａ）を、開始情報記憶領域５０に格納する。
【００５０】
開始情報が格納されていない場合（Ｓ１４でＮＯ）、Ｓ３に戻る。一方、開始情報が格納されている場合（Ｓ１４でＹＥＳ）、Ｓ１６では、変更部６４は、チャネル変更フラグを「０」から「１」に変更する。次いで、Ｓ１８では、第１の通信部６０は、ＷＦＤ接続を利用して、通話デバイス８０から、データＩＤを含むＦＡＸデータを受信する。Ｓ２０では、制御部３０は、ＦＡＸデータの受信が完了すると、ＦＡＸデータに含まれているデータＩＤを含む開始情報を、開始情報記憶領域５０から消去する。次いで、Ｓ２２において、制御部３０は、開始情報記憶領域５０内に、開始情報が格納されているのか否かを判断する。開始情報が格納されている場合（Ｓ２２でＹＥＳ）、Ｓ１８に戻る。開始情報が格納されていない場合（Ｓ２２でＮＯ）、Ｓ２４において、制御部３０は、チャネル変更不可フラグを「１」から「０」に変更する。次いで、Ｓ２６において、制御部３０は、チャネル確認処理を実行して、Ｓ３に戻る。
【００５１】
多機能機１０と通話デバイス８０との間にＷＦＤ接続が確立されている間に、通話デバイス８０は、定期的（例えば数十秒間隔）に、Ｐｒｏｂｅ  Ｒｅｑｕｅｓｔを多機能機１０に送信する。多機能機１０と通話デバイス８０との間にＷＦＤ接続が確立されている間に、制御部３０がＳ３〜Ｓ６の処理を実行する場合、制御部３０は、Ｓ６において、ＷＦＤ接続を維持する（即ちＳ６では処理を実行しない）。この場合、Ｓ８では、シリアル番号は受信されないため、Ｓ１４に進む。
【００５２】
（多機能機１０が実行するチャネル確認処理）
図３を参照して、図２のＳ２６で実行されるチャネル確認処理について説明する。なお、制御部３０は、アクセスポイント（例えばＡＰ６）との間で、非ＷＦＤ接続が確立されている間、チャネル確認処理を定期的に実行する。即ち、制御部３０は、図３のチャネル確認処理を、図２のＳ２４の後で実行すると共に、定期的にも実行する。ＡＰ６は、定期的に、又は、不定期に、無線通信で利用する無線チャネルを変更する。
【００５３】
Ｓ４２では、第２の通信部６１は、チャネル領域５２に格納されている無線チャネルを利用して、非ＷＦＤ接続で接続されているアクセスポイント（以下では「ＡＰ６」を用いて説明する）に、特定の信号（例えばＰＩＮＧ）を送信する。Ｓ４４では、第２の通信部６１は、ＡＰ６から特定の信号に対する応答を受信することを監視している。特定の信号を送信してから、所定の時間の間（例えば１秒間）に、ＡＰ６から応答が受信された場合（Ｓ４４でＹＥＳ）、確認処理は終了される。これにより、第２の通信部６１は、多機能機１０とＡＰ６との間で、非ＷＦＤ接続が維持さていることを確認することができる。
【００５４】
一方、上記の特定の信号を受信してから、所定の時間の間（例えば１秒間）に、ＡＰ６から応答が受信されない場合（Ｓ４４でＮＯ）、ＡＰ６は、非ＷＦＤ接続で利用する無線チャネルを変更している可能性が高い。
【００５５】
この場合、Ｓ４６において、変更部６４は、チャネル変更不可フラグが「０」であるのか否かを判断する。チャネル変更不可フラグが「１」である場合、Ｓ４６でＮＯと判断され、チャネル確認処理は終了する。チャネル変更不可フラグが「１」である場合、第１の通信部６０は、通話デバイス８０からＦＡＸデータを受信すべき状況である。この状況下で無線チャネルが変更されると、第１の通信部６０は、通話デバイス８０からＦＡＸデータを受信することができなくなる。従って、チャネル変更不可フラグが「１」である場合、変更部６４は、チャネル領域５２に格納されている無線チャネルを変更しない。この場合、制御部３０は、通話デバイス８０からＦＡＸデータの受信が完了し、図２のＳ２２でＮＯと判断された場合、図２のＳ２６において、チャネル確認処理が実行される。
【００５６】
一方で、チャネル変更不可フラグが「０」である場合（Ｓ４６でＹＥＳ）、Ｓ４８では、第２の通信部６１は、ＡＰ６にＰｒｏｂｅ  Ｒｅｑｕｅｓｔを送信する。具体的には、第２の通信部６１は、多機能機１０の周囲に存在する各ＡＰを検索するためのＳｃａｎ処理を実行する。これにより、第２の通信部６１からＡＰ６に、Ｐｒｏｂｅ  Ｒｅｑｕｅｓｔが送信される。この結果、Ｓ５０において、第２の通信部６１は、ＡＰ６から、ＳＳＩＤ「ＡＢＣ」と無線チャネルとを含むＰｒｏｂｅ  Ｒｅｓｐｏｎｓｅを受信する。Ｓ５２では、変更部６４は、チャネル領域５２に格納されている無線チャネルを、Ｓ５０で受信された無線チャネルに変更する。即ち、多機能機１０は、ＡＰ６が利用する無線チャネルに合わせて、多機能機１０が利用する無線チャネルを変更する。即ち、非ＷＦＤ接続では、ＡＰ６が、非ＷＦＤ接続で利用する無線チャネルを決定する。なお、変更部６４は、Ｓ５０において、複数個のＳＳＩＤが受信された場合、非ＷＦＤ設定領域４８に格納されているＳＳＩＤ「ＡＢＣ」を含むＰｒｏｂｅ  Ｒｅｓｐｏｎｓｅに含まれる無線チャネルを、ＡＰ６が利用するチャネルであると判断する。
【００５７】
チャネル変更不可フラグが「０」である状況（Ｓ４６でＹＥＳ）は、通話デバイス８０からＦＡＸデータを受信すべきではない状況である。この状況では、変更部６４は、利用チャネルを変更する。次いで、Ｓ５４では、第２の通信部６１は、Ｓ５２で変更されたチャネル領域５２内の無線チャネルを利用して、Ｓ４２と同様に、ＡＰ６に特定の信号を送信する。Ｓ５６では、第２の通信部６１は、Ｓ５４で送信した特定の信号の応答を受信して、チャネル確認処理を終了する。
【００５８】
（ネットワークシステム１の各装置の動作について）
図４，５を参照して、ネットワークシステム１の各装置６，１０，８０の動作について説明する。なお、以下の処理は、各装置６，１０，８０の制御部３０，９０等が実行する処理である。多機能機１０は、多機能機１０が電源ＯＮされると、チャネル領域５２の無線チャネルｃｈ１を読み込む（図２のＳ２）。
【００５９】
通話デバイス８０は、通話デバイス８０が電源ＯＮされると、ＷＦＤ設定領域９９に格納されているＳＳＩＤ「ＸＹＺ」を含むＰｒｏｂｅ  Ｒｅｑｕｅｓｔを、多機能機１０に送信する。多機能機１０は、Ｐｒｏｂｅ  Ｒｅｑｕｅｓｔを受信すると（図２のＳ３）、ＷＦＤ設定領域４６に格納されているＳＳＩＤ「ＸＹＺ」と、チャネル領域５２に格納されている無線チャネルｃｈ１とを含むＰｒｏｂｅ  Ｒｅｓｐｏｎｓｅを、通話デバイス８０に送信する（図２のＳ５）。
【００６０】
通話デバイス８０は、多機能機１０から受信された無線チャネルｃｈ１を、チャネル領域９８に格納する。即ち、通話デバイス８０は、無線通信で利用する無線チャネルをｃｈ１に設定する。即ち、ＷＦＤ接続では、多機能機１０が無線チャネルを決定する。なお、多機能機１０は、ＡＰが決定した無線チャネルと同じ無線チャネルを、非ＷＦＤ接続用の無線チャネルとして決定する。次いで、多機能機１０と通話デバイス８０との間で、ＷＦＤ接続が確立する（図２のＳ６）と、通話デバイス８０は、ＷＦＤ設定領域９９に格納されているシリアル番号「１２３」を、多機能機１０に送信する。多機能機１０は、通話デバイス８０から受信されたシリアル番号「１２３」が、ＷＦＤ設定領域４６に記憶されているシリアル番号「１２３」と同じシリアル番号であると判断して（図２のＳ１０でＹＥＳ）、認証が成功したことを、通話デバイス８０に通知する。
【００６１】
多機能機１０は、多機能機１０が電源ＯＮされると、ＡＰ６との間で、非ＷＦＤ接続を確立する。具体的には、多機能機１０は、ＡＰ６にＰｒｏｂｅ  Ｒｅｑｕｅｓｔを送信する。ＡＰ６は、多機能機１０からＰｒｏｂｅ  Ｒｅｑｕｅｓｔを受信すると、ＡＰ６を含むネットワークのＳＳＩＤと、ＡＰ６が利用している無線チャネルｃｈ１とを含むＰｒｏｂｅ  Ｒｅｓｐｏｎｓｅを、多機能機１０に送信する。多機能機１０は、ＡＰ６から受信された無線チャネルｃｈ１が、チャネル領域５２に格納されている無線チャネルと同じ無線チャネルであることを判断する。次いで、多機能機１０とＡＰ６との間で、非ＷＦＤ接続を確立するための処理が実行される。
【００６２】
（通話デバイス８０以外の装置からＰｒｏｂｅ  Ｒｅｑｕｅｓｔを受信するケース）
ＰＣ８ａは、Ｐｒｏｂｅ  Ｒｅｑｕｅｓｔをブロードキャストする。多機能機１０は、通話デバイス８０以外のＰＣ８ａからのＰｒｏｂｅ  Ｒｅｑｕｅｓｔを受信する（図２のＳ３）。この場合、Ｐｒｏｂｅ  Ｒｅｑｕｅｓｔは、ＷＦＤ設定領域４６に格納されているＳＳＩＤ「ＸＹＺ」を含んでいない。このため、多機能機１０は、ＳＳＩＤ「ＸＹＺ」を含むＰｒｏｂｅ  Ｒｅｓｐｏｎｓｅを送信しない（図２のＳ３）。この構成によれば、ＦＡＸ通信システム１内の無線ネットワークのＳＳＩＤ「ＸＹＺ」が予め記憶されている通話デバイス８０以外のデバイスに、ＳＳＩＤが提供されることを抑制することができる。即ち、ＳＳＩＤ「ＸＹＺ」を、通話デバイス８０以外のいずれのデバイスにも知られずに済む。このため、ＰＣ８ａは、ＰＣ８ａの周辺のアクセスポイントに、当該アクセポイントが構成する無線ネットワークのＳＳＩＤを検索するＳｅａｃｈ処理を実行したとしても、ＳＳＩＤ「ＸＹＺ」を取得することができない。このため、通話デバイス８０以外の装置が、ＳＳＩＤ「ＸＹＺ」を利用して、Ｇ／Ｏ状態である多機能機１０にＷＦＤ接続を試行することを防止することができる。この結果、通話デバイス８０以外の装置が、多機能機１０と通話デバイス８０とを含む無線ネットワークに参加することを防止することができる。
【００６３】
（ＦＡＸデータを受信すべきでない状況）
次に、多機能機１０が、通話デバイス８０からＦＡＸデータを受信すべき状況でない場合において、ＡＰ６の無線チャネルが、ｃｈ１からｃｈ２に変更される場合について説明する。
【００６４】
ＡＰ６は、無線通信に利用する無線チャネルを、ｃｈ１からｃｈ２に変更する。多機能機１０は、定期的にチャネル確認処理を実行する。多機能機１０は、チャネル領域５２に格納されている無線チャネルｃｈ１を利用して、所定の信号をＡＰ６に送信する（図３のＳ４２）。この場合、多機能機１０が利用している無線チャネルｃｈ１が、ＡＰ６が利用している無線チャネルｃｈ２と異なるため、ＡＰ６は、所定の信号を受信することができない。多機能機１０は、所定の信号に対する応答を受信することができない（図３のＳ４４でＮＯ）。
【００６５】
多機能機１０は、チャネル領域５２に格納されているチャネル変更不可フラグが「０」（即ち多機能機１０が、通話デバイス８０からＦＡＸデータを受信すべきでない状況）であると判断する（図３のＳ４６でＹＥＳ）。次いで、多機能機１０は、ＡＰ６にＰｒｏｂｅ  Ｒｅｑｕｅｓｔを送信する（図３のＳ４８）。ＡＰ６は、多機能機１０からＰｒｏｂｅ  Ｒｅｑｕｅｓｔを受信すると、ＡＰ６を含むネットワークのＳＳＩＤ「ＡＢＣ」と、無線チャネルｃｈ２とを含むＰｒｏｂｅ  Ｒｅｓｐｏｎｓｅを、Ｐｒｏｂｅ  Ｒｅｑｕｅｓｔの送信元の多機能機１０に送信する。
【００６６】
多機能機１０は、ＡＰ６からＳＳＩＤ「ＡＢＣ」と無線チャネルｃｈ２とを受信すると、チャネル領域５２に格納されている無線チャネルｃｈ１を、無線チャネルｃｈ２に変更する（図３の５２）。次いで、多機能機１０は、チャネル領域５２に格納されている無線チャネルｃｈ２を利用して、所定の信号をＡＰ６に送信する（図３のＳ５４）。この場合、多機能機１０が利用している無線チャネルとＡＰ６が利用している無線チャネルとが一致しているため、ＡＰ６は、所定の信号を受信することができる。ＡＰ６は、所定の信号に対する所定の応答を、所定の信号の送信元の多機能機１０に送信する。多機能機１０は、所定の応答を、ＡＰ６から受信する（図３のＳ５６）。
【００６７】
この構成によれば、多機能機１０は、ＡＰ６が利用する無線チャネルが変更される場合に、無線チャネルの変更に合わせて、多機能機１０が利用する無線チャネルを変更することができる。
【００６８】
通話デバイス８０は、多機能機１０と同様に、チャネル確認処理を定期的に実行している。通話デバイス８０は、チャネル領域９８に格納されている無線チャネルｃｈ１を利用して、特定の信号を多機能機１０に送信する（図３のＳ４２に相当）。この場合、通話デバイス８０が利用している無線チャネルｃｈ１が、ＡＰ６が利用している無線チャネルｃｈ２と異なるため、多機能機１０は、特定の信号を受信することができない。通話デバイス８０は、特定の信号に対する応答を受信することができない（図３のＳ４４でＮＯに相当）。
【００６９】
通話デバイス８０は、多機能機１０にＰｒｏｂｅ  Ｒｅｑｕｅｓｔを送信する（図３のＳ４８に相当）。当該Ｐｒｏｂｅ  Ｒｅｑｕｅｓｔは、ＷＦＤ設定領域９９に格納されているＳＳＩＤ「ＸＹＺ」が含まれている。多機能機１０は、通話デバイス８０からＰｒｏｂｅ  Ｒｅｑｕｅｓｔを受信する（図２のＳ３）と、Ｐｒｏｂｅ  Ｒｅｑｕｅｓｔに含まれるＳＳＩＤ「ＸＹＺ」が、ＷＦＤ設定領域４６に格納されているＳＳＩＤ「ＸＹＺ」と一致することを判断する（図２のＳ４でＹＥＳ）。多機能機１０は、ＷＦＤ設定領域４６に格納されているＳＳＩＤ「ＸＹＺ」と、チャネル領域５２に格納されている無線チャネルｃｈ２とを含むＰｒｏｂｅ  Ｒｅｓｐｏｎｓｅを、Ｐｒｏｂｅ  Ｒｅｑｕｅｓｔの送信元の通話デバイス８０に送信する。
【００７０】
通話デバイス８０は、多機能機１０からＳＳＩＤ「ＸＹＺ」と無線チャネルｃｈ２とを受信すると、チャネル領域９９に格納されている無線チャネルｃｈ１を、無線チャネルｃｈ２に変更する（図３の５２に相当）。次いで、通話デバイス８０は、チャネル領域９９に格納されている無線チャネルｃｈ２を利用して、特定の信号を多機能機１０に送信する（図３のＳ５４に相当）。この場合、通話デバイス８０が利用している無線チャネルと多機能機１０が利用している無線チャネルとが一致しているため、多機能機１０は、所定の信号を受信することができる。多機能機１０は、特定の信号に対する応答を、特定の信号の送信元の通話デバイス８０に送信する。通話デバイス８０は、特定の信号に対する応答を、多機能機１０から受信する（図３のＳ５６に相当）。
【００７１】
この構成によれば、通話デバイス８０は、多機能機１０が利用する無線チャネルが変更される場合に、無線チャネルの変更に合わせて、通話デバイス８０が利用する無線チャネルを変更することができる。この結果、多機能機１０は、ＡＰ６が利用する無線チャネルに合わせて、多機能機１０が利用する無線チャネルを変更する場合に、通話デバイス８０と通信できなくなることを防止することができる。これにより、多機能機１０は、１個の無線インターフェイス１６を用いて、ＷＦＤ接続と非ＷＦＤ接続とを、実行することができる。
【００７２】
（非ＷＦＤ接続を利用した無線通信）
図５に示すように、ＡＰ６は、例えば、ＡＰ６に接続されているＰＣ８ｂから、多機能機１０に送信すべき印刷データを受信する。ＡＰ６は、ＡＰ６と多機能機１０との間で確立されている非ＷＦＤ接続を利用して、ＰＣ８ｂから受信された印刷データを、多機能機１０に送信する。多機能機１０は、ＡＰ６から印刷データを受信すると、印刷実行部１８に、印刷処理を実行させる。
【００７３】
（ＦＡＸデータを受信すべき状況）
次に、多機能機１０が、通話デバイス８０からＦＡＸデータを受信すべき状況において、ＡＰ６の無線チャネルが、ｃｈ２からｃｈ３に変更される場合について説明する。
【００７４】
通話デバイス８０は、ＰＳＴＮ４を介して、外部のＦＡＸ装置からＦＡＸデータを受信し始めると、当該ＦＡＸデータに対応するデータＩＤ「ＡＡＡ」を生成する。次いで、通話デバイス８０は、生成されたデータＩＤ「ＡＡＡ」を含む開始情報を、多機能機１０に送信する。多機能機１０は、通話デバイス８０から開始情報を受信する（図２のＳ１４）と、開始情報記憶領域５０に、データＩＤ「ＡＡＡ」を含む開始情報５０ａを格納する。この構成によれば、多機能機１０は、通話デバイス８０からＦＡＸデータを受信すべき状況であることを適切に判断することができる。多機能機１０は、チャネル領域５２に格納されているチャネル変更フラグを「０」から「１」に変更する（図２のＳ１６）。なお、既にチャネル変更フラグが「１」の場合には、多機能機１０は、チャネル変更フラグを変更しない。
【００７５】
ＡＰ６は、無線通信に利用する無線チャネルを、ｃｈ２からｃｈ３に変更している。多機能機１０は、チャネル確認処理を実行すべきタイミングが到来すると、チャネル領域５２に格納されている無線チャネルｃｈ２を利用して、所定の信号をＡＰ６に送信する（図３のＳ４２）。この場合、多機能機１０が利用している無線チャネルｃｈ２が、ＡＰ６が利用している無線チャネルｃｈ３と異なるため、ＡＰ６は、所定の信号を受信することができない。多機能機１０は、所定の信号に対する応答を受信することができない（図３のＳ４４でＮＯ）。
【００７６】
多機能機１０は、チャネル領域５２に格納されているチャネル変更不可フラグが「１」（即ち多機能機１０が、通話デバイス８０からＦＡＸデータを受信すべき状況）であると判断する（図３のＳ４６でＮＯ）。この場合、多機能機１０は、チャネル領域５２に格納されている無線チャネルｃｈ２を変更するための処理（図３のＳ４８〜Ｓ５６）を実行せず、チャネル確認処理を終了する。
【００７７】
この構成によれば、多機能機１０が通話デバイス８０からＦＡＸデータを受信すべき状況において、通話デバイス８０からＦＡＸデータの受信が完了するまで、無線チャネルが変更されずに済む。この結果、多機能機１０は、無線チャネルを変更せずに、通話デバイス８０からＦＡＸデータを適切に受信することができる。
【００７８】
通話デバイス８０は、ＰＳＴＮ４を介したＦＡＸデータ（データＩＤ「ＡＡＡ」）の受信が完了すると、多機能機１０にＦＡＸデータを送信する。ＦＡＸデータは、データＩＤ「ＡＡＡ」を含む。多機能機１０は、通話デバイス８０からＦＡＸデータの受信が完了すると（図２のＳ１８）、データＩＤ「ＡＡＡ」を含む開始情報５０ａを、開始情報記憶領域５０から消去する（図２のＳ２０）。次いで、多機能機１０は、開始情報記憶領域５０に開始情報が格納されていないと判断すると（図２のＳ２２でＮＯ）、チャネル領域５２に格納されているチャネル変更不可フラグを「１」から「０」に変更する。
【００７９】
次いで、多機能機１０は、チャネル確認処理（図２のＳ２６）を実行する。多機能機１０が利用している無線チャネルｃｈ２が、ＡＰ６が利用している無線チャネルｃｈ３と異なるため、ＡＰ６は、特定の信号を受信することができない。従って、多機能機１０は、特定の信号に対する応答を受信することができない（図３のＳ４４でＮＯ）。この場合、チャネル領域５２に格納されているチャネル変更不可フラグが「０」であることから、多機能機１０は、ＡＰ６にＰｒｏｂｅ  Ｒｅｑｕｅｓｔを送信して（図３のＳ４８）、ＡＰ６からＳＳＩＤ「ＡＢＣ」と無線チャネルｃｈ３とを含むＰｒｏｂｅ  Ｒｅｓｐｏｎｓｅを受信する（図３のＳ５０）。多機能機１０は、チャネル領域５２に格納されている無線チャネルｃｈ２を、無線チャネルｃｈ３に変更し（図３の５２）、無線チャネルｃｈ３を利用して、特定の信号をＡＰ６に送信する（図３のＳ５４）。多機能機１０は、特定の信号に対する応答を、ＡＰ６から受信する（図３のＳ５６）。
【００８０】
この構成によれば、多機能機１０は、通話デバイス８０からのＦＡＸデータの受信が完了した後、無線チャネルをＡＰ６が利用する無線チャネルに変更することができる。
【００８１】
通話デバイス８０は、上述のチャネル確認処理と同様に、チャネル確認処理を実行することによって、無線チャネルｃｈ３を受信し、チャネル領域９９に格納されている無線チャネルｃｈ２を、無線チャネルｃｈ３に変更する（図３の５２に相当）。通話デバイス８０は、無線チャネルｃｈ３を利用して、所定の信号を多機能機１０に送信し、多機能機１０から所定の応答を受信する。（図３のＳ５６に相当）。
【００８２】
（実施例の効果）
多機能機１０は、通話デバイス８０以外の装置（例えばＡＰ６、ＰＣ８ａ〜ＰＣ８ｃ）から、Ｐｒｏｂｅ  Ｒｅｑｕｅｓｔを受信したとしても、ＦＡＸ通信システム１内のネットワークを識別するためのＳＳＩＤ「ＸＹＺ」を含むＰｒｏｂｅ  Ｒｅｓｐｏｎｓｅを送信しない。この構成では、通話デバイス８０以外の装置は、多機能機１０とＷＦＤ接続を利用して、無線通信を実行することができない。言い換えると、多機能機１０は、ＷＦＤ接続を利用して、通話デバイス８０とＦＡＸデータの無線通信を実行する。一方で、多機能機１０は、ＷＦＤ接続を利用して、通話デバイス８０以外の装置（例えばＡＰ６、ＰＣ８ａ〜ＰＣ８ｃ）と無線通信を実行しない。この構成によれば、多機能機１０は、通話デバイス８０との無線通信のための専用の無線接続として、ＷＦＤ接続を利用する。この結果、通話デバイス８０と無線通信を実行することができる。多機能機１０は、通話デバイス８０以外の装置と無線通信可能な汎用の無線接続（例えば上記の非ＷＦＤ接続）を利用して、通話デバイス８０と無線通信する構成と比較して、通話デバイス８０との間で、適切にＦＡＸデータの通信を実行することができる。
【００８３】
例えば、多機能機１０に非ＷＦＤ接続を利用して通信可能な装置（例えばＰＣ８ａ等）から、多量のデータが多機能機１０に送信される状況が想定される。多機能機１０は、多量のデータを、順次受信し、データに対して適切な処理（例えば印刷処理、表示処理等）を実行する。このため、多機能機１０と通話デバイス８０とが、非ＷＦＤ接続を利用して無線通信を実行する構成を採用すると、通話デバイス８０から受信されるＦＡＸデータが、多量のデータに紛れて、迅速に受信又は処理を実行することができない状況が発生する。多機能機１０が、ＷＦＤ接続を利用して、通話デバイス８０以外の装置と無線通信を実行する場合についても、同様に、多機能機１０は、通話デバイス８０から受信されるＦＡＸデータを、迅速に処理を実行することができない状況が発生する。本実施例では、非ＷＦＤ接続を利用して、多量のデータを受信すべき状況においても、多機能機１０は、通話デバイス８０との無線通信で利用されるＷＦＤ接続を利用して、通話デバイス８０からＦＡＸデータを受信することができる。同様に、多機能機１０から通話デバイス８０に、ＦＡＸデータを送信すべき状況においても同様に、多機能機１０は、ＷＦＤ接続を利用して、ＦＡＸデータを、通話デバイス８０に迅速に送信することができる。
【００８４】
（対応関係）
多機能機１０と通話デバイス８０とＰＣ８ａ〜８ｃが、それぞれ「ＦＡＸ装置」と「回線側装置」と「特定の装置」との一例である。ＷＦＤ接続と非ＷＦＤ接続とが、それぞれ「第１種の無線接続」と「第２種の接続」との一例である。ＳＳＩＤ「ＸＹＺ」が「特定のネットワーク識別子」の一例である。ＷＦＤとＩＥＥＥ８０２．１１とが、それぞれ「第１の通信規格」と「第２の通信規格」との一例である。
【００８５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、以下の変形例を採用してもよい。
【００８６】
（変形例）
（１）上記の実施例では、制御部３０は、ＷＦＤ接続と非ＷＦＤ接続との２種類の無線接続を利用する。しかしながら、多機能機１０の制御部３０は、非ＷＦＤ接続に代えて、ＰＣ８ａ等の特定の装置と、有線接続を利用して、通信を実行してもよい。この場合、制御部３０は、ＬＡＮケーブル等に接続される有線ＬＡＮインターフェイスを備えていてもよい。本変形例では、有線接続が「第２の接続」の一例である。なお、多機能機１０は、ＷＦＤ接続の他に、非ＷＦＤ接続と有線接続とを利用可能であってもよい。この構成では、非ＷＦＤ接続と有線接続とのそれぞれが「第２の接続」の一例である。
【００８７】
（２）上記の実施例では、提供部６２は、ＷＦＤ設定領域４６に格納されているＳＳＩＤ「ＸＹＺ」を含むＰｒｏｂｅ  Ｒｅｑｕｅｓｔを受信する場合に、当該ＳＳＩＤの送信元の通話デバイス８０に、ＳＳＩＤ「ＸＹＺ」を含むＰｒｏｂｅ  Ｒｅｓｐｏｎｓｅを送信する。しかしながら、多機能機１０は、通話デバイス８０を識別するための識別情報（例えば通話デバイス８０のＭＡＣアドレス）を、メモリ４０に記憶していてもよい。この場合、提供部６２は、Ｐｒｏｂｅ  Ｒｅｑｕｅｓｔに含まれるデバイスの識別情報が、メモリ４０に記憶されている識別情報と同じ識別情報である場合に、当該ＳＳＩＤの送信元の通話デバイス８０に、ＳＳＩＤ「ＸＹＺ」を含むＰｒｏｂｅ  Ｒｅｓｐｏｎｓｅを送信してもよい。一般的に言うと、提供部６２は、通話デバイス８０にＳＳＩＤ（即ちネットワーク識別子）を提供し、通話デバイス８０以外のいずれの装置にも、ＳＳＩＤを提供しなくてもよい。
【００８８】
（３）上記の実施例では、多機能機１０は、物理的に１個の無線インターフェイス１６を備える。しかしながら、多機能機１０は、ＷＦＤ接続と非ＷＦＤ接続とで、異なる無線インターフェイスを備えていてもよい。この場合、多機能機１０は、無線インターフェイス毎に、異なる無線チャネルを利用してもよい。
【００８９】
（４）上記の各実施例では、無線チャネルの値の範囲として１ｃｈ〜１４ｃｈが利用される。これは、日本で利用される仕様である。これに代えて、無線チャネルの値の範囲として、１ｃｈ〜１１ｃｈが利用されてもよいし（米国の仕様）、１ｃｈ〜１３ｃｈが利用されてもよいし（欧州の仕様）、他の範囲が利用されてもよい。
【００９０】
（５）上記の実施例では、各部６０〜６６は、ＣＰＵ３２がプログラムを実行することによって実現される。これに代えて、各部６０〜６６のうちの少なくとも一部は、論理回路等のハードウェアによって実現されてもよい。
【００９１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００９２】
１：ＦＡＸ通信システム、２：ネットワークシステム、６：ＡＰ、８ａ〜８ｃ：ＰＣ、１０：多機能機、３０：制御部、４０：メモリ、４６：ＷＦＤ設定領域、４８：非ＷＦＤ設定領域、５２：チャネル領域、６０：第１の通信部、６１：第２の通信部、６２：提供部、６４：変更部、６６：取得部、８０：通話デバイス
【図１】
2013183446.tif 000003
【図２】
2013183446.tif 000004
【図３】
2013183446.tif 000005
【図４】
2013183446.tif 000006
【図５】
2013183446.tif 000007